(57)【要約】【課題】  送信側によって任意に作成された絵文字を受信側にて再現することが可能な携帯情報端末システムを提供する。【解決手段】  制御部１ｆは、入力部１ａが受け付けたユーザの操作に基づいて、ユーザによって作成されたドットマトリクスの画像を生成し、生成した画像を表示部１ｂに表示させる。制御部１ｆは、生成した画像のビットマップデータと、生成された画像の色を示す色情報とを生成し、生成したビットマップデータと生成した色情報とユーザ入力を示すユーザ入力情報とを関連づけて携帯情報端末２に送信する。携帯情報端末２の制御部２ｆは、アンテナ２ｃによって受信された情報にユーザ入力情報が含まれている場合に、ユーザ入力情報に関連づけられているビットマップデータによって示される画像をユーザ入力情報に関連づけられている色情報によって示された色で表示部２ｂに表示させる。【選択図】      図２
2005223731.tif 000002
【特許請求の範囲】
【請求項１】
送信側携帯情報端末から送信される情報を受信側携帯端末が受信する携帯情報端末システムであって、
ユーザの操作を受け付ける入力部と、前記入力部によって受け付けられたユーザの操作に基づいてドットマトリクスの画像を生成する画像生成部と、前記画像生成部によって生成された画像のビットマップデータを生成する画像データ生成部と、前記ビットマップデータとユーザ入力を示すユーザ入力情報とを関連づけて送信する送信部とを含む送信側携帯情報端末と、
前記送信側携帯情報端末から送信された情報を受信する受信部と、前記受信部によって受信された情報に前記ユーザ入力情報が含まれている場合に、前記ユーザ入力情報に関連づけられているビットマップデータによって示される画像を表示する表示部とを含む受信側携帯情報端末とを含む、携帯情報端末システム。
【請求項２】
請求項１に記載の携帯情報端末システムにおいて、
前記画像データ生成部は、さらに、前記画像生成部によって生成された画像の色を示す色情報を生成し、
前記送信部は、前記色情報と前記ビットマップデータと前記ユーザ入力情報とを関連づけて送信し、
前記表示部は、前記受信部によって受信された情報に前記ユーザ入力情報が含まれている場合に、前記ユーザ入力情報に関連づけられているビットマップデータによって示される画像を、前記ユーザ入力情報に関連づけられている色情報によって示された色で表示する、携帯情報端末システム。
【請求項３】
ユーザの操作を受け付ける入力部と、
前記入力部によって受け付けられたユーザの操作に基づいてドットマトリクスの画像を生成する画像生成部と、
前記画像生成部によって生成された画像のビットマップデータを生成する画像データ生成部と、
前記ビットマップデータとユーザ入力を示すユーザ入力情報とを関連づけて、受信した情報に前記ユーザ入力情報が含まれている場合に該ユーザ入力情報に関連づけられているビットマップデータによって示される画像を表示する受信側携帯情報端末に送信する送信部とを含む携帯情報端末。
【請求項４】
請求項３に記載の携帯情報端末において、
前記画像データ生成部は、さらに、前記画像生成部によって生成された画像の色を示す色情報を生成し、
前記送信部は、前記色情報と前記ビットマップデータと前記ユーザ入力情報とを関連づけて、受信した情報に前記ユーザ入力情報が含まれている場合に前記ユーザ入力情報に関連づけられているビットマップデータによって示される画像を前記ユーザ入力情報に関連づけられている色情報によって示された色で表示する受信側携帯情報端末に送信する、携帯情報端末。
【請求項５】
ユーザの操作に基づいて生成されるドットマトリクスの画像のビットマップデータとユーザ入力を示すユーザ入力情報とを関連づけて送信する送信側携帯情報端末から送信された情報を受信する受信部と、
前記受信部によって受信された情報に前記ユーザ入力情報が含まれている場合に、前記ユーザ入力情報に関連づけられているビットマップデータによって示される画像を表示する表示部とを含む、携帯情報端末。
【請求項６】
請求項５に記載の携帯情報端末において、
前記受信部は、前記ユーザの操作に基づいて生成されるドットマトリクスで示される画像の色を示す色情報と前記ビットマップデータと前記ユーザ入力情報とを関連づけて送信する送信側携帯情報端末から送信された情報を受信し、
前記表示部は、前記受信部によって受信された情報に前記ユーザ入力情報が含まれている場合に、前記ユーザ入力情報に関連づけられているビットマップデータによって示される画像を、前記ユーザ入力情報に関連づけられている色情報によって示された色で表示する、携帯情報端末。
【請求項７】
情報を送信する送信側携帯情報端末と、前記送信側携帯情報端末から送信される情報を受信する受信側携帯端末とを含む携帯情報端末システムが行う画像送受信方法であって、
ユーザの操作を受け付ける入力ステップと、
前記入力ステップで受け付けられたユーザの操作に基づいてドットマトリクスの画像を生成する画像生成ステップと、
前記画像生成ステップで生成された画像のビットマップデータを生成する画像データ生成ステップ部と、
前記ビットマップデータとユーザ入力を示すユーザ入力情報とを関連づけて送信する送信ステップと、
前記送信ステップで送信された情報を受信する受信ステップと、
前記受信ステップで受信された情報に前記ユーザ入力情報が含まれている場合に、前記ユーザ入力情報に関連づけられているビットマップデータによって示される画像を表示する表示ステップとを含む受信側携帯情報端末とを含む、画像送受信方法。
【請求項８】
請求項７に記載の画像送受信方法において、
前記画像データ生成ステップは、さらに、前記画像生成ステップによって生成された画像の色を示す色情報を生成し、
前記送信ステップは、前記色情報と前記ビットマップデータと前記ユーザ入力情報とを関連づけて送信し、
前記表示ステップは、前記受信ステップで受信された情報に前記ユーザ入力情報が含まれている場合に、前記ユーザ入力情報に関連づけられているビットマップデータによって示される画像を、前記ユーザ入力情報に関連づけられている色情報によって示された色で表示する、画像送受信方法。
【請求項９】
ユーザの操作を受け付ける入力ステップと、
前記入力ステップで受け付けられたユーザの操作に基づいてドットマトリクスで示される画像を生成する画像生成ステップと、
前記画像生成部ステップで生成された画像のビットマップデータを生成する画像データ生成ステップと、
前記ビットマップデータとユーザ入力を示すユーザ入力情報とを関連づけて、受信した情報に前記ユーザ入力情報が含まれている場合に該ユーザ入力情報に関連づけられているビットマップデータによって示される画像を表示する受信側携帯情報端末に送信する送信ステップとを含む、携帯情報端末が行う画像送信方法。
【請求項１０】
請求項９に記載の画像送信方法において、
前記画像データ生成ステップは、さらに、前記画像生成ステップで生成された画像の色を示す色情報を生成し、
前記送信ステップは、前記色情報と前記ビットマップデータと前記ユーザ入力情報とを関連づけて、受信した情報に前記ユーザ入力情報が含まれている場合に前記ユーザ入力情報に関連づけられているビットマップデータによって示される画像を前記ユーザ入力情報に関連づけられている色情報によって示された色で表示する受信側携帯情報端末に送信する、画像送信方法。
【請求項１１】
ユーザの操作に基づいてドットマトリクスで示される画像のビットマップデータとユーザ入力を示すユーザ入力情報とを関連づけて送信する送信側携帯情報端末から送信された情報を受信する受信ステップと、
前記受信ステップで受信された情報に前記ユーザ入力情報が含まれている場合に、前記ユーザ入力情報に関連づけられているビットマップデータによって示される画像を表示する表示ステップとを含む、携帯情報端末が行う画像受信方法。
【請求項１２】
請求項１１に記載の画像受信方法において、
前記受信ステップは、前記ユーザの操作に基づいてドットマトリクスで示される画像の色を示す色情報と前記ビットマップデータと前記ユーザ入力情報とを関連づけて送信する送信側携帯情報端末から送信された情報を受信し、
前記表示ステップは、前記受信ステップで受信された情報に前記ユーザ入力情報が含まれている場合に、前記ユーザ入力情報に関連づけられているビットマップデータによって示される画像を、前記ユーザ入力情報に関連づけられている色情報によって示された色で表示する、画像受信方法。
【発明の詳細な説明】
【技術分野】
【０００１】
本発明は、携帯情報端末システム、携帯情報端末、画像送受信方法、画像送信方法および画像受信方法に関する。
【背景技術】
【０００２】
一般に、電子メールを送受信することが可能な携帯電話端末には、所定の数の絵文字が予め登録されている。例えば、特許文献１（特開２００３−２１６５４４号公報）には、文字と絵文字とを含む電子メールを送受信することが可能な携帯電話端末が記載されている。
【０００３】
携帯電話端末のユーザは、携帯電話端末に登録されている絵文字を使って電子メールを作成することができる。例えば、携帯電話端末のユーザは、電子メールを見やすくするためや、相手に文字だけでは伝えにくい感情を伝えるために、絵文字を使用することができる。なお、特許文献２（特開２００３−１７３２３２号公報）には、携帯電話機において、ユーザが任意の絵文字を作成することが可能な携帯電話機が記載されている。
【特許文献１】特開２００３−２１６５４４号公報
【特許文献２】特開２００３−１７３２３２号公報
【発明の開示】
【発明が解決しようとする課題】
【０００４】
特許文献１に記載された携帯電話端末では、携帯電話端末に予め登録されている絵文字の数には限りがある。このため、ユーザのイメージと一致する絵文字が携帯電話端末に登録されていないという状況が発生する可能性がある。この場合、ユーザの要求が十分に満たされないという問題が生じる。
【０００５】
特許文献２に記載された携帯電話機では、ユーザは絵文字を自由に作成することができる。しかしながら、特許文献２には、ユーザによって作成された絵文字の送信手法および受信手法に関する記載はない。
【０００６】
本発明の目的は、送信側によって任意に作成された絵文字を受信側にて再現することが可能な携帯情報端末システム、携帯情報端末、画像送受信方法、画像送信方法および画像受信方法を提供することである。
【課題を解決するための手段】
【０００７】
上記の目的を達成するために、本発明の携帯情報端末システムは、送信側携帯情報端末から送信される情報を受信側携帯端末が受信する携帯情報端末システムであって、ユーザの操作を受け付ける入力部と、前記入力部によって受け付けられたユーザの操作に基づいてドットマトリクスの画像を生成する画像生成部と、前記画像生成部によって生成された画像のビットマップデータを生成する画像データ生成部と、前記ビットマップデータとユーザ入力を示すユーザ入力情報とを関連づけて送信する送信部とを含む送信側携帯情報端末と、前記送信側携帯情報端末から送信された情報を受信する受信部と、前記受信部によって受信された情報に前記ユーザ入力情報が含まれている場合に、前記ユーザ入力情報に関連づけられているビットマップデータによって示される画像を表示する表示部とを含む受信側携帯情報端末とを含む。
【０００８】
また、本発明の画像送受信方法は、情報を送信する送信側携帯情報端末と、前記送信側携帯情報端末から送信される情報を受信する受信側携帯端末とを含む携帯情報端末システムが行う画像送受信方法であって、ユーザの操作を受け付ける入力ステップと、前記入力ステップで受け付けられたユーザの操作に基づいてドットマトリクスの画像を生成する画像生成ステップと、前記画像生成ステップで生成された画像のビットマップデータを生成する画像データ生成ステップ部と、前記ビットマップデータとユーザ入力を示すユーザ入力情報とを関連づけて送信する送信ステップと、前記送信ステップで送信された情報を受信する受信ステップと、前記受信ステップで受信された情報に前記ユーザ入力情報が含まれている場合に、前記ユーザ入力情報に関連づけられているビットマップデータによって示される画像を表示する表示ステップとを含む受信側携帯情報端末とを含む。
【０００９】
上記の発明によれば、送信側携帯情報端末は、ビットマップデータとユーザ入力情報とを関連づけて送信し、受信側携帯情報端末は、受信した情報にユーザ入力情報が含まれている場合にユーザ入力情報に関連づけられているビットマップデータによって示される画像を表示する。送信側携帯情報端末から送信されるビットマップデータは、ユーザの操作に基づいて生成されるドットマトリクスの画像のビットマップデータである。このため、送信側携帯情報端末でユーザが作成した画像を、受信側携帯情報端末で表示することが可能となる。
【００１０】
また、上記携帯情報端末システムにおいて、前記画像データ生成部は、さらに、前記画像生成部によって生成された画像の色を示す色情報を生成し、前記送信部は、前記色情報と前記ビットマップデータと前記ユーザ入力情報とを関連づけて送信し、前記表示部は、前記受信部によって受信された情報に前記ユーザ入力情報が含まれている場合に、前記ユーザ入力情報に関連づけられているビットマップデータによって示される画像を、前記ユーザ入力情報に関連づけられている色情報によって示された色で表示することが望ましい。
【００１１】
また、上記画像送受信方法において、前記画像データ生成ステップは、さらに、前記画像生成ステップによって生成された画像の色を示す色情報を生成し、前記送信ステップは、前記色情報と前記ビットマップデータと前記ユーザ入力情報とを関連づけて送信し、前記表示ステップは、前記受信ステップで受信された情報に前記ユーザ入力情報が含まれている場合に、前記ユーザ入力情報に関連づけられているビットマップデータによって示される画像を、前記ユーザ入力情報に関連づけられている色情報によって示された色で表示することが望ましい。
【００１２】
上記の発明によれば、送信側携帯情報端末でユーザが作成した所望の色の画像を、受信側携帯情報端末で表示することが可能となる。
【００１３】
また、本発明の携帯情報端末は、ユーザの操作を受け付ける入力部と、前記入力部によって受け付けられたユーザの操作に基づいてドットマトリクスの画像を生成する画像生成部と、前記画像生成部によって生成された画像のビットマップデータを生成する画像データ生成部と、前記ビットマップデータとユーザ入力を示すユーザ入力情報とを関連づけて、受信した情報に前記ユーザ入力情報が含まれている場合に該ユーザ入力情報に関連づけられているビットマップデータによって示される画像を表示する受信側携帯情報端末に送信する送信部とを含む。
【００１４】
また、本発明の画像送信方法は、ユーザの操作を受け付ける入力ステップと、前記入力ステップで受け付けられたユーザの操作に基づいてドットマトリクスで示される画像を生成する画像生成ステップと、前記画像生成部ステップで生成された画像のビットマップデータを生成する画像データ生成ステップと、前記ビットマップデータとユーザ入力を示すユーザ入力情報とを関連づけて、受信した情報に前記ユーザ入力情報が含まれている場合に該ユーザ入力情報に関連づけられているビットマップデータによって示される画像を表示する受信側携帯情報端末に送信する送信ステップとを含む。
【００１５】
上記の発明によれば、受信した情報にユーザ入力情報が含まれている場合にユーザ入力情報に関連づけられているビットマップデータによって示される画像を表示する受信側携帯情報端末に対して、ビットマップデータとユーザ入力情報とが関連づけて送信される。送信されるビットマップデータは、ユーザの操作に基づいて生成されるドットマトリクスの画像のビットマップデータである。このため、ビットマップデータとユーザ入力情報とを関連づけて送信する携帯情報端末は、ユーザによって作成された画像を、受信側携帯情報端末に表示させることが可能となる。
【００１６】
また、上記携帯情報端末において、前記画像データ生成部は、さらに、前記画像生成部によって生成された画像の色を示す色情報を生成し、前記送信部は、前記色情報と前記ビットマップデータと前記ユーザ入力情報とを関連づけて、受信した情報に前記ユーザ入力情報が含まれている場合に前記ユーザ入力情報に関連づけられているビットマップデータによって示される画像を前記ユーザ入力情報に関連づけられている色情報によって示された色で表示する受信側携帯情報端末に送信することが望ましい。
【００１７】
また、上記画像送信方法において、前記画像データ生成ステップは、さらに、前記画像生成ステップで生成された画像の色を示す色情報を生成し、前記送信ステップは、前記色情報と前記ビットマップデータと前記ユーザ入力情報とを関連づけて、受信した情報に前記ユーザ入力情報が含まれている場合に前記ユーザ入力情報に関連づけられているビットマップデータによって示される画像を前記ユーザ入力情報に関連づけられている色情報によって示された色で表示する受信側携帯情報端末に送信することが望ましい。
【００１８】
上記の発明によれば、携帯情報端末は、ユーザによって作成された所望の色の画像を、受信側携帯情報端末に表示させることが可能となる。
【００１９】
また、本発明の携帯情報端末は、ユーザの操作に基づいて生成されるドットマトリクスの画像のビットマップデータとユーザ入力を示すユーザ入力情報とを関連づけて送信する送信側携帯情報端末から送信された情報を受信する受信部と、前記受信部によって受信された情報に前記ユーザ入力情報が含まれている場合に、前記ユーザ入力情報に関連づけられているビットマップデータによって示される画像を表示する表示部とを含む。
【００２０】
また、本発明の画像受信方法は、ユーザの操作に基づいてドットマトリクスで示される画像のビットマップデータとユーザ入力を示すユーザ入力情報とを関連づけて送信する送信側携帯情報端末から送信された情報を受信する受信ステップと、前記受信ステップで受信された情報に前記ユーザ入力情報が含まれている場合に、前記ユーザ入力情報に関連づけられているビットマップデータによって示される画像を表示する表示ステップとを含む。
【００２１】
上記の発明によれば、受信された情報にユーザ入力情報が含まれている場合に、ユーザ入力情報に関連づけられているビットマップデータによって示される画像が表示される。したがって、ユーザの操作に基づいて生成されるドットマトリクスの画像のビットマップデータとユーザ入力を示すユーザ入力情報とが関連づけられた情報を受信した場合、送信側のユーザによって生成された画像を表示することが可能となる。
【００２２】
また、上記携帯情報端末において、前記受信部は、前記ユーザの操作に基づいて生成されるドットマトリクスで示される画像の色を示す色情報と前記ビットマップデータと前記ユーザ入力情報とを関連づけて送信する送信側携帯情報端末から送信された情報を受信し、前記表示部は、前記受信部によって受信された情報に前記ユーザ入力情報が含まれている場合に、前記ユーザ入力情報に関連づけられているビットマップデータによって示される画像を、前記ユーザ入力情報に関連づけられている色情報によって示された色で表示することが望ましい。
【００２３】
また、上記画像受信方法において、前記受信ステップは、前記ユーザの操作に基づいてドットマトリクスで示される画像の色を示す色情報と前記ビットマップデータと前記ユーザ入力情報とを関連づけて送信する送信側携帯情報端末から送信された情報を受信し、前記表示ステップは、前記受信ステップで受信された情報に前記ユーザ入力情報が含まれている場合に、前記ユーザ入力情報に関連づけられているビットマップデータによって示される画像を、前記ユーザ入力情報に関連づけられている色情報によって示された色で表示することが望ましい。
【００２４】
上記の発明によれば、送信側のユーザによって作成された所望の色の画像を表示することが可能となる。
【発明の効果】
【００２５】
本発明によれば、送信側携帯情報端末は、ビットマップデータとユーザ入力情報とを関連づけて送信し、受信側携帯情報端末は、受信した情報にユーザ入力情報が含まれている場合にユーザ入力情報に関連づけられているビットマップデータによって示される画像を表示する。送信側携帯情報端末から送信されるビットマップデータは、ユーザの操作に基づいて生成されるドットマトリクスの画像のビットマップデータである。このため、送信側携帯情報端末でユーザが作成した画像を、受信側携帯情報端末で表示することが可能となる。
【発明を実施するための最良の形態】
【００２６】
以下、本発明の一実施例を図面を参照して説明する。
【００２７】
図１は、本発明の一実施例の携帯情報端末システムを示した外観模式図である。図１において、携帯情報端末システムは、携帯情報端末１と、携帯情報端末２とを含む。
【００２８】
送信側携帯情報端末としての携帯情報端末１は、電子メールを送信することが可能である。携帯情報端末１としては、例えば、電子メールの送受信が行える携帯電話端末が用いられる。
【００２９】
携帯情報端末１は、入力部１ａと、表示部１ｂと、アンテナ１ｃとを含む。
【００３０】
入力部１ａは、ユーザの操作を受け付ける。本実施例では、入力部１ａは、上方向ボタン１ａ１と、下方向ボタン１ａ２と、左方向ボタン１ａ３と、右方向ボタン１ａ４と、入力ボタン１ａ５とを含む。なお、入力部１ａに含まれるボタンは、上記に限らず適宜変更可能であり、マウス等のポインティングデバイスを用いてもよい。
【００３１】
表示部１ｂは、入力部１ａによって受け付けられるユーザの操作に応じて、種々の表示を実行する。アンテナ１ｃは、無線信号の送受信を行う。アンテナ１ｃによって送受信される無線信号としては、例えば、携帯電話信号と電子メール信号が用いられる。
【００３２】
受信側携帯情報端末としての携帯情報端末２は、電子メールを受信することが可能である。携帯情報端末２としては、例えば、電子メールの送受信が行える携帯電話端末が用いられる。
【００３３】
携帯情報端末２は、入力部２ａと、表示部２ｂと、アンテナ２ｃとを含む。
【００３４】
入力部２ａは、ユーザの操作を受け付ける。本実施例では、入力部２ａは、上方向ボタン２ａ１と、下方向ボタン２ａ２と、左方向ボタン２ａ３と、右方向ボタン２ａ４と、入力ボタン２ａ５とを含む。なお、入力部２ａに含まれるボタンは、上記に限らず適宜変更可能である。表示部２ｂは、入力部２ａによって受け付けられるユーザの操作に応じて、種々の表示を実行する。アンテナ２ｃは、無線信号の送受信を行う。アンテナ２ｃによって送受信される無線信号としては、例えば、携帯電話信号と電子メール信号が用いられる。
【００３５】
メールサーバ３は、携帯情報端末１と携帯情報端末２との間で送信される電子メールを管理する。
【００３６】
図２は、携帯情報端末１と携帯情報端末２の一例を示したブロック図である。図２において、図１に示したものと同一のものには同一符号を付してある。
【００３７】
図２において、携帯情報端末１は、入力部１ａと、表示部１ｂと、アンテナ１ｃと、無線通信部１ｄと、メモリ１ｅと、制御部１ｆとを含む。
【００３８】
無線通信部１ｄは、アンテナ１ｃを介して無線信号を送信し、また、アンテナ１ｃを介して無線信号を受信する。
【００３９】
メモリ１ｅは、コンピュータによって読み取り可能な記録媒体である。メモリ１ｅには、携帯情報端末１の動作を規定するプログラムが記録されている。
【００４０】
画像生成部および画像データ生成部としての制御部１ｆは、コンピュータとしてのＣＰＵを含み、メモリ１ｅに記録されているプログラムを読み取り、読み取ったプログラムを実行することによって種々の処理を行う。例えば、制御部１ｆは、メモリ１ｅに記録されているプログラムを実行することによって、以下に示すような処理を実行する。
【００４１】
制御部１ｆは、入力部１ａがユーザの操作として絵文字作成操作を受け付けた際に、絵文字作成画面を表示部１ｂに表示させる。
【００４２】
制御部１ｆは、表示部１ｂに絵文字作成画面が表示されている場合、入力部１ａによって受け付けられたユーザの操作に基づいてドットマトリクスの画像を生成し、生成した画像を絵文字作成画面上に表示させる。
【００４３】
なお、制御部１ｆは、表示部１ｂに絵文字作成画面が表示されている場合、入力部１ａによって受け付けられたユーザの操作に基づいて、ユーザによって指定された色のドットマトリクスの画像を生成し、生成した画像を絵文字作成画面上に表示させることが望ましい。
【００４４】
制御部１ｆは、生成した画像のビットマップデータを生成する。なお、制御部１ｆは、生成された画像の色を示す色情報を生成することが望ましい。
【００４５】
制御部１ｆは、入力部１ａが、ユーザの操作として、生成した画像を携帯情報端末２に電子メールで送信する旨の操作を受け付けた場合、生成したビットマップデータとユーザ入力を示すユーザ入力情報とを関連づけて無線通信部１ｄに出力する。
【００４６】
無線通信部１ｄは、制御部１ｆから出力されたビットマップデータおよびユーザ入力情報とを関連づけた情報を、送信先を携帯情報端末２として、電子メールでアンテナ１ｃから送信する。
【００４７】
なお、制御部１ｆは、入力部１ａが、ユーザの操作として、生成した画像を携帯情報端末２に電子メールで送信する旨の操作を受け付けた場合、生成したビットマップデータとユーザ入力情報と色情報とを関連づけて無線通信部１ｄに出力することが望ましい。この場合、無線通信部１ｄは、制御部１ｆから出力されたビットマップデータとユーザ入力情報および色情報とを関連づけた情報を、送信先を携帯情報端末２として、電子メールでアンテナ１ｃから送信する。
【００４８】
メールサーバ３は、送信先が携帯情報端末２である電子メールを携帯情報端末２に送信する。
【００４９】
携帯情報端末２は、入力部２ａと、表示部２ｂと、アンテナ２ｃと、無線通信部２ｄと、メモリ２ｅと、制御部２ｆとを含む。
【００５０】
無線通信部２ｄは、アンテナ２ｃを介して無線信号を送信し、また、アンテナ２ｃを介して電子メールなどの無線信号を受信する。
【００５１】
メモリ２ｅは、コンピュータによって読み取り可能な記録媒体である。メモリ２ｅには、携帯情報端末２の動作を規定するプログラムが記録されている。
【００５２】
制御部２ｆは、コンピュータとしてのＣＰＵを含み、メモリ２ｅに記録されているプログラムを読み取り、読み取ったプログラムを実行することによって種々の処理を行う。例えば、制御部２ｆは、メモリ２ｅに記録されているプログラムを実行することによって、以下に示すような処理を実行する。
【００５３】
制御部２ｆは、アンテナ２ｃによって受信された情報にユーザ入力情報が含まれている場合に、ユーザ入力情報に関連づけられているビットマップデータによって示される画像を表示部２ｂにさせる。
【００５４】
なお、制御部２ｆは、アンテナ２ｃによって受信された情報にユーザ入力情報が含まれている場合に、ユーザ入力情報に関連づけられているビットマップデータによって示される画像をユーザ入力情報に関連づけられている色情報によって示された色で表示部２ｂに表示させることが望ましい。
【００５５】
次に、動作を説明する。
【００５６】
制御部１ｆは、入力部１ａがユーザの操作として絵文字作成操作を受け付けた際に、絵文字作成画面を表示部１ｂに表示させる。なお、絵文字作成画面の画像データは、メモリ１ｅに記録されている。
【００５７】
図３は、表示部１ｂに表示される絵文字作成画面の一例を示した説明図である。
【００５８】
図３において、絵文字作成画面４は、絵文字作成領域４ａと、完了ボタン４ｂと、入力ボタン４ｃと、機能ボタン４ｄと、カーソル４ｅとを含む。
【００５９】
絵文字作成領域４ａは、ユーザが入力部１ａを操作することによって画像としての絵文字が作成されるドットマトリクスの表示画面である。本実施例では、絵文字作成領域４ａとして、縦２０ドット横２０ドットのドットマトリクスの表示画面を用いる。なお、絵文字作成領域４ａは、縦２０ドット横２０ドットのドットマトリクスの表示画面に限るものではなく適宜変更可能である。
【００６０】
完了ボタン４ｂは、表示部１ｂにおける絵文字作成画面４の表示を終了させるためのボタンである。入力ボタン４ｃは、ユーザによる入力を確定させるためのボタンである。
【００６１】
機能ボタン４ｄは、絵文字作成の機能を選択するためのボタンである。本実施例では、機能ボタン４ｄによって、例えば、絵文字の色の変更、作成中の絵文字の消去および作成した絵文字の保存（保存場所は、メモリ１ｅ。）が選択可能となる。本実施例では、絵文字の色を３２色の中から１色のみ選択可能とする。なお、絵文字の色は１色に限るものではなく、例えばドットごとに色を選択できるようにしてもよい。
【００６２】
カーソル４ｅは、入力部１ａの操作に応じて、絵文字作成画面４の上を移動する。
【００６３】
絵文字作成領域４ａの各ドットは、カーソル４ｅによって選択された状態で、入力ボタン４ｃが操作されると、表示の状態が反転する（例えば、図３に示したように、白の表示が黒の表示に反転する）。
【００６４】
ユーザは、入力部１ａを操作することによってカーソル４ｅおよび入力ボタン４ｃを操作し、絵文字作成領域４ａに任意の画像（絵文字）を作成する。
【００６５】
図２を参照して画像作成動作を詳述すると、制御部１ｆは、表示部１ｂに絵文字作成画面４が表示されている場合、入力部１ａによって受け付けられたユーザの操作に基づいて、ユーザによって指定された色のドットマトリクスの画像を生成し、生成した画像を絵文字作成画面４上に表示させる。なお、制御部１ｆは、生成した画像のビットマップデータと、生成された画像の色を示す色情報とを生成する。
【００６６】
制御部１ｆは、入力部１ａが、ユーザの操作として、生成した画像を携帯情報端末２に電子メールで送信する旨の操作を受け付けた場合、生成したビットマップデータと生成した色情報とユーザ入力を示すユーザ入力情報とを関連づけて無線通信部１ｄに出力する。
【００６７】
図４は、制御部１ｆが無線通信部１ｄに出力するデータの一例を示した説明図である。なお、図４は、図３（ｂ）に示した絵文字に対応するデータを示している。
【００６８】
制御部１ｆは、まず、データの先頭に「自作の絵文字である」ということを示すユーザ入力情報（絵文字情報）を設ける。
【００６９】
制御部１ｆは、次に、作成した絵文字を１ドット行ずつビットパターンで表すビットマップデータを作成し、作成したビットマップデータをユーザ入力情報の後ろに設ける。本実施例では、制御部１ｆが作成するビットマップデータは、例えば、白を「０」、黒を「１」で示した場合、１行がすべて白なら「００００００００００００００００００００」（２０ビット）となる。
【００７０】
本実施例では、制御部１ｆはビットマップデータを圧縮している。具体的には、制御部１ｆは、２０ビットのデータを４ビットずつ分割し、分割したそれぞれのデータを１６進数で示す。よって、「００００００００００００００００００００」のデータは、「０００００」となる。制御部１ｆは、１行目から２０行目まで上記のようにビットマップデータを作成し、作成したビットマップデータを圧縮していく。
【００７１】
制御部１ｆは、ビットマップデータの後ろに色情報を設ける。
【００７２】
図２に戻って、無線通信部１ｆは、制御部１ｆから出力されたビットマップデータとユーザ入力情報および色情報とを関連づけた情報を、送信先を携帯情報端末２として、電子メールでアンテナ１ｃから送信する。
【００７３】
メールサーバ３は、送信先が携帯情報端末２である電子メールを携帯情報端末２に送信する。
【００７４】
携帯情報端末２の無線通信部２ｄは、アンテナ２ｃを介して電子メールを受信する。
【００７５】
携帯情報端末２の制御部２ｆは、アンテナ２ｃによって受信された情報にユーザ入力情報が含まれている場合に、ユーザ入力情報に関連づけられているビットマップデータによって示される画像をユーザ入力情報に関連づけられている色情報によって示された色で表示部２ｂに表示させる。
【００７６】
制御部２ｆは、ビットマップデータが圧縮されている場合、圧縮されているビットマップデータを解凍し、解凍済みのビットマップデータによって示される画像をユーザ入力情報に関連づけられている色情報によって示された色で表示部２ｂに表示させる。
【００７７】
なお、携帯情報端末２は、表示部２ｂに表示された画像を示す画像データをメモリ２ｅに保存するようにしてもよい。
【００７８】
本実施例によれば、電子メールの送受信が可能な携帯電話端末において、自分で絵文字を作成し保存することができ、作成した絵文字はメール送信時に使用することができ、受信側端末でもその絵文字を表示し、保存することができる。
【００７９】
本実施例によれば、絵文字を好きなように作成することができるので、既存の絵文字に満足していなかったユーザの要求を満たすことができる。
【００８０】
なお、ブラウザ機能を有している携帯電話端末において、自作絵文字を活用した携帯電話端末用のホームページを作成・閲覧することも可能である。
【００８１】
例えば、自作絵文字を活用した携帯電話端末用のホームページの閲覧を要求している携帯電話端末に対して、自作絵文字のビットマップデータと自作絵文字の色情報とユーザ入力を示すユーザ入力情報とを関連づけて送信する。
【００８２】
自作絵文字のビットマップデータと自作絵文字の色情報とユーザ入力を示すユーザ入力情報とを受信した携帯電話端末は、受信された情報にユーザ入力情報が含まれている場合に、ユーザ入力情報に関連づけられているビットマップデータによって示される画像をユーザ入力情報に関連づけられている色情報によって示された色で表示する。
【００８３】
以上説明した実施例において、図示した構成は単なる一例であって、本発明はその構成に限定されるものではない。
【図面の簡単な説明】
【００８４】
【図１】本発明の一実施例の携帯情報端末システムを示した概略構成図である。
【図２】携帯情報端末システムの一例を示したブロック図である。
【図３】絵文字作成画面の一例を示した説明図である。
【図４】携帯電話端末１から送信されるデータの一例を示した説明図である。
【符号の説明】
【００８５】
１      送信側携帯情報端末
１ａ    入力部
１ｂ    表示部
１ｃ    アンテナ
１ｄ    無線通信部
１ｅ    メモリ
１ｆ    制御部
２      受信側携帯情報端末
２ａ    入力部
２ｂ    表示部
２ｃ    アンテナ
２ｄ    無線通信部
２ｅ    メモリ
２ｆ    制御部
３      メールサーバ
４      絵文字作成画面
４ａ    絵文字作成領域
４ｂ    完了ボタン
４ｃ    入力ボタン
４ｄ    機能ボタン
【図１】
2005223731.tif 000003
【図２】
2005223731.tif 000004
【図３】
2005223731.tif 000005
【図４】
2005223731.tif 000006